(57)【要約】【課題】コスト上昇を抑えつつ、入館用セキュリティシステム及びエレベータ用セキュリティシステムのデータテーブルの管理を容易に行うことができるエレベータ用セキュリティシステムを提供する。【解決手段】出入り口管理装置は、識別情報を、エレベータ管理情報とエレベータ管理情報の更新を管理するための更新管理情報とに対応付けて書換え可能に記憶し、更新管理情報に基づいて、出入り口管理用カード識別装置に、カードのエレベータ管理情報を、記憶したエレベータ管理情報に書換えさせる構成とした。【選択図】図１
2010285235.tif 000002
【特許請求の範囲】
【請求項１】
建築物の出入り口に設けられ、カードから識別情報を読み込む出入り口管理用カード識別装置と、
前記建築物内のエレベータの乗場又はかごに設けられ、前記カードから前記エレベータの動作を管理するエレベータ管理情報を読み込むエレベータ管理用カード識別装置と、
前記出入り口管理用カード識別装置に読み込まれたカードの識別情報に基づいて、前記出入り口の通行許可を管理する出入り口管理装置と、
を備え、
前記出入り口管理装置は、前記識別情報を、前記エレベータ管理情報と前記エレベータ管理情報の更新を管理するための更新管理情報とに対応付けて書換え可能に記憶し、前記更新管理情報に基づいて、前記出入り口管理用カード識別装置に、前記カードのエレベータ管理情報を、記憶したエレベータ管理情報に書換えさせることを特徴とするエレベータ用セキュリティシステム。
【請求項２】
前記出入り口管理装置は、前記更新管理情報として、前記エレベータ管理情報の更新回数を記憶し、前記カードに記憶された更新回数と記憶した更新回数が一致しない場合は、前記出入り口管理用カード識別装置に、前記カードのエレベータ管理情報と更新回数を、記憶したエレベータ管理情報と更新回数とに書換えさせることを特徴とする請求項１記載のエレベータ用セキュリティシステム。
【請求項３】
前記出入り口管理装置は、前記更新管理情報として、前記エレベータ管理情報の更新フラグを記憶し、前記更新フラグが対応付けられた識別情報を記憶したカードが前記出入り口管理用カード識別装置に読み込まれた場合に、前記出入り口管理用カード識別装置に、前記更新フラグが対応付けられた識別情報を記憶したカードのエレベータ管理情報を、記憶したエレベータ管理情報に書換えさせるとともに、前記更新フラグの記憶を消去することを特徴とする請求項１記載のエレベータ用セキュリティシステム。
【請求項４】
前記エレベータの動作を制御する制御装置、
を備え、
前記出入り口管理用カード識別装置は、前記カードに、前記識別情報を読み込んだときのカード操作日時を書き込み、
前記制御装置は、前記エレベータ管理用カード識別装置が前記カードのエレベータ管理情報を読み込んだ日時と前記カード操作日時との比較結果に基づいて、前記エレベータの動作を制御することを特徴とする請求項１〜請求項３のいずれかに記載のエレベータ用セキュリティシステム。
【請求項５】
前記出入り口管理装置は、前記エレベータ管理情報として、前記エレベータの利用階を記憶したことを特徴とする請求項１〜請求項４のいずれかに記載のエレベータ用セキュリティシステム。
【発明の詳細な説明】
【技術分野】
【０００１】
この発明は、エレベータ用セキュリティシステムに関するものである。
【背景技術】
【０００２】
一般に、入館用セキュリティシステム制御装置は、建築物の出入り口に設けられた出入り口管理用カード識別装置に読み込まれたカードの識別情報に基づいて、出入り口の通行許可を管理する。これにより、入館用セキュリティシステムが構築される（例えば、特許文献１参照）。
【０００３】
また、エレベータ制御装置は、建築物内のエレベータに設けられたエレベータ管理用カード識別装置に読み込まれたカードのエレベータ管理情報に基づいて、エレベータの動作を管理する。これにより、カードリーダ付きエレベータ用セキュリティシステムが構築される。
【０００４】
上記両セキュリティシステムが混在する場合、入館用セキュリティシステム制御装置は、カードの識別情報と出入り口の通行許可情報を対応付けて記憶したデータテーブルを必要とし、エレベータ制御装置は、識別情報とエレベータ管理情報とを対応付けて記憶したデータテーブルを必要とする。
【先行技術文献】
【特許文献】
【０００５】
【特許文献１】特開２００８−７９４１号公報
【発明の概要】
【発明が解決しようとする課題】
【０００６】
即ち、入館用セキュリティシステムとエレベータ用セキュリティシステムが混在すると、両セキュリティシステム毎に別個のデータテーブルが必要となり、コストが上昇するとともに、データテーブルの管理が面倒となるという問題があった。
【０００７】
この発明は、上述のような課題を解決するためになされたもので、その目的は、コスト上昇を抑えつつ、入館用セキュリティシステム及びエレベータ用セキュリティシステムのデータテーブルの管理を容易に行うことができるエレベータ用セキュリティシステムを提供することである。
【課題を解決するための手段】
【０００８】
この発明に係るエレベータ用セキュリティシステムは、建築物の出入り口に設けられ、カードから識別情報を読み込む出入り口管理用カード識別装置と、前記建築物内のエレベータの乗場又はかごに設けられ、前記カードから前記エレベータの動作を管理するエレベータ管理情報を読み込むエレベータ管理用カード識別装置と、前記出入り口管理用カード識別装置に読み込まれたカードの識別情報に基づいて、前記出入り口の通行許可を管理する出入り口管理装置と、を備え、前記出入り口管理装置は、前記識別情報を、前記エレベータ管理情報と前記エレベータ管理情報の更新を管理するための更新管理情報とに対応付けて書換え可能に記憶し、前記更新管理情報に基づいて、前記出入り口管理用カード識別装置に、前記カードのエレベータ管理情報を、記憶したエレベータ管理情報に書換えさせるものである。
【発明の効果】
【０００９】
この発明によれば、コスト上昇を抑えつつ、入館用セキュリティシステム及びエレベータ用セキュリティシステムのデータテーブルの管理を容易に行うことができる。
【図面の簡単な説明】
【００１０】
【図１】この発明の実施の形態１におけるエレベータ用セキュリティシステムのシステム構成図である。
【図２】この発明の実施の形態１におけるエレベータ用セキュリティシステムに利用されるデータテーブルを示す図である。
【図３】この発明の実施の形態１におけるエレベータ用セキュリティシステムに利用されるカード内情報の書換えを説明するための図である。
【図４】この発明の実施の形態１におけるエレベータ用セキュリティシステムの動作を説明するためのフローチャートである。
【図５】この発明の実施の形態２におけるエレベータ用セキュリティシステムに利用されるデータテーブルを示す図である。
【図６】この発明の実施の形態２におけるエレベータ用セキュリティシステムに利用されるカード内情報の書換えを説明するための図である。
【図７】この発明の実施の形態１におけるエレベータ用セキュリティシステムの動作を説明するためのフローチャートである。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１におけるエレベータ用セキュリティシステムのシステム構成図である。
図１において、１は建築物である。この建築物１は、５階建てとなっている。この建築物１の１階一側には、出入り口２が設けられる。この出入り口２には、フラッパーゲート３が設けられる。このフラッパーゲート３の入口側には、出入り口管理用カード識別装置４が設けられる。この出入り口管理用カード識別装置４は、カードリーダライタからなる。
【００１３】
即ち、出入り口管理用カード識別装置４は、建築物１の利用者に対して発行されたカード（図示せず）内の情報を読み込んだり、カード内の情報を書き換えたりする機能を備える。具体的には、出入り口管理用カード識別装置４は、カード内の識別情報を読み込んだり、カード操作日時をカードに書き込んだりする。
【００１４】
５はエレベータの昇降路である。この昇降路５は、建築物１の各階を貫くように形成される。昇降路５内には、かご６及びつり合おもり７が配置される。また、昇降路５上方には、機械室８が設けられる。この機械室８には、巻上機９、そらせ車１０、駆動機１１が設けられる。巻上機９、そらせ車１０には、主索１２が巻き掛けられる。この主索１２の両端に、それぞれかご６及びつり合おもり７が連結される。かかる構成のエレベータにおいては、巻上機９が駆動機１１により回転駆動される。この回転駆動により、主索１２が移動される。この主索１２の移動に追従して、かご６及びつり合おもり７が昇降する。
【００１５】
１３は乗場操作盤である。この乗場操作盤１３は、建築物１の各階のエレベータ乗場に設けられる。この乗場操作盤１３は、エレベータ利用者により乗場呼びが入力される。１４はエレベータ管理用の乗場カード識別装置である。この乗場カード識別装置１４は、建築物１の各階のエレベータ乗場に設けられる。この乗場カード識別装置１４は、カードリーダからなる。即ち、乗場カード識別装置１４は、カード内のエレベータ管理情報を読み込む機能を備える。このエレベータ管理情報は、エレベータの動作を管理するための情報である。
【００１６】
１５はかご呼び操作盤である。このかご呼び操作盤１５は、かご６内に設けられる。このかご呼び操作盤１５は、エレベータ利用者によりかご呼びが入力される。１６はエレベータ管理用のかご内カード識別装置である。このかご内カード識別装置１６は、かご６内に設けられる。このかご内カード識別装置１６は、カードリーダからなる。即ち、かご内カード識別装置１６は、カード内のエレベータ管理情報を読み込む機能を備える。
【００１７】
かかる乗場操作盤１３、乗場カード識別装置１４、かご呼び操作盤１５、かご内カード識別装置１６は、エレベータ制御盤１７に接続される。エレベータ制御盤１７は、乗場カード識別装置１４、かご内カード識別装置１６が読み込んだエレベータ管理情報に基づいて、エレベータの動作を管理する機能を備える。具体的には、エレベータ制御盤１７は、乗場操作盤１３、かご呼び操作盤１５の操作が有効であるか否かを判断して、エレベータの動作を制御する。
【００１８】
１８は入館用セキュリティシステム制御装置である。この入館用セキュリティシステム制御装置１８は、出入り口管理用カード識別装置４に接続される。この入館用セキュリティシステム制御装置１８は、記憶装置１９を備える。この記憶装置１９は、識別情報としてのカード番号と氏名とが対応したデータテーブルを記憶する。そして、入館用セキュリティシステム制御装置１８は、出入り口管理用カード識別装置４に読み込まれたカードの識別情報に基づいて、出入り口２の通行許可を管理する出入り口管理装置として機能する。
【００１９】
本実施の形態においては、記憶装置１９は、識別情報がエレベータ管理情報と更新管理情報とに対応したデータテーブルを、書換え可能に記憶する。そして、入館用セキュリティシステム制御装置１８は、出入り口管理用カード識別装置４に読み込まれたカードの識別情報に対応した更新管理情報が記憶装置１９に記憶された更新管理情報と一致しない場合は、出入り口管理用カード識別装置４に、カードの更新管理情報とエレベータ管理情報とを、記憶した更新管理情報とエレベータ管理情報とに書換えさせる。
【００２０】
次に、図２を用いて、記憶装置１９内に記憶されたデータテーブルの内容を詳細に説明する。
図２はこの発明の実施の形態１におけるエレベータ用セキュリティシステムに利用されるデータテーブルを示す図である。
【００２１】
図２に示すように、記憶装置１９のデータテーブル項目は、カード番号、氏名、他設備管理番号（利用階情報）、更新回数番号からなる。カード番号は、上述したように、各カードの識別情報となるものである。氏名は、各カードの所有者を示すものである。他設備管理番号（利用階情報）は、エレベータ管理情報を示すものである。具体的には、「２、３」と記載されている場合、エレベータを利用して２階、３階へ行くことが許可されていることを示している。更新回数番号は、各カードに対して、他設備管理番号の書換えが何回行われたかを示すものである。
【００２２】
ここで、データ管理者が、カード番号「２３４５」に対応した他設備管理番号を書き換えるとする。この場合、データ管理者は、入力装置等（図示せず）を用いて、カード番号「２３４５」に対応した他設備管理番号を「５、６」から「４、５」に書き換える。このとき、カード番号「２３４５」に対応した更新回数番号は、自動で、書き換えられる。具体的には、図２では、更新回数番号が「０００２」から「０００３」に書き換えられる。
【００２３】
次に、図３を用いて、記憶装置１９の他設備管理番号が書き換えられた場合のカード内情報の書換えを説明する。
図３はこの発明の実施の形態１におけるエレベータ用セキュリティシステムに利用されるカード内情報の書換えを説明するための図である。
【００２４】
図３に示すように、カード内には、カード番号、氏名、他設備管理番号（利用階情報）、更新回数番号、最終操作日時が記憶される。カード番号は、記憶装置１９に記憶されたカード番号と対応するものである。他設備管理情報は、記憶装置１９に記憶された他設備管理番号に対応するものである。更新回数番号は、記憶装置１９に記憶された更新回数番号と対応するものである。最終操作日時は、カードが出入り口管理用カード識別装置４に操作されたときのカード操作日時を示すものである。
【００２５】
上述したように、記憶装置１９では、カード番号「２３４５」に対応した他設備管理番号と更新回数番号とは、それぞれ、「４、５」、「０００３」に書き換えられている。このとき、更新前のカード内情報の更新回数番号は、「０００２」であり、記憶装置１９に記憶された更新回数番号「０００３」と一致しない。従って、更新後のカード内情報は、記憶装置１９の更新回数番号に対応したものに書き換えられる。具体的には、他設備管理番号、更新回数番号が、それぞれ、「４、５」、「０００３」に書き換えられる。また、これと同時に、最終操作日時が、「２００９／３／２９」から「２００９／４／１」に書き換えられる。
【００２６】
次に、図４を用いて、建築物１へ入館する際のエレベータ用セキュリティシステムの動作を説明する。
図４はこの発明の実施の形態１におけるエレベータ用セキュリティシステムの動作を説明するためのフローチャートである。
【００２７】
まず、ステップＳ１では、出入り口管理用カード識別装置４でのカードの読み取りがあるか否かが判断される。カードの読み取りがない場合は、ステップＳ１が繰り返される。一方、カードの読み取りがあった場合は、ステップＳ２に進む。ステップＳ２では、読み取ったカード番号が、記憶装置１９のデータテーブルに存在するか否かが判断される。読み取ったカード番号がデータテーブルに存在する場合は、ステップＳ３に進む。
【００２８】
ステップＳ３では、データテーブルの更新回数番号とカード内の更新回数番号が一致するか否かが判断される。データテーブルの更新回数番号とカード内の更新回数番号が一致しない場合は、ステップＳ４に進む。ステップＳ４では、カード内の他設備管理番号（利用階情報）と更新回数番号をデータテーブルの値を使用して書き換え、ステップＳ５に進む。ステップＳ５では、カードに最終操作日時として現在日時を書き込み、ステップＳ６に進む。ステップＳ６では、ＩＤ判定ＯＫと判断し、フラッパーゲート３の通行を許可し、ステップＳ１に戻る。
【００２９】
一方、ステップＳ３で、データテーブルの更新回数番号とカード内の更新回数番号が一致する場合は、ステップＳ４を経由せずに、ステップＳ５、Ｓ６に進み、上記動作を行う。なお、ステップＳ２で、読み取ったカード番号がデータテーブルに存在しない場合は、ステップＳ７に進み、ＩＤ判定ＮＧと判断し、ステップＳ１に戻る。
【００３０】
そして、フラッパーゲート３の通行を許可された者は、エレベータを利用する際、乗場カード識別装置１４やかご内カード識別装置１６でカード操作を行う。これにより、カード内のエレベータ管理情報が読み取られ、エレベータの動作が制御される。具体的には、エレベータは、カード内情報の利用階情報に対応した階以外の階には、サービスしないように制御される。これにより、建築物１のセキュリティが確保される。
【００３１】
このとき、エレベータ制御盤１７は、乗場カード識別装置１４がカードのエレベータ管理情報を読み込んだ日時とカードに記憶された最終操作日時との比較結果に基づいて、エレベータの動作を制御する。具体的には、カードのエレベータ管理情報が読み込まれた日時とカードに記憶された最終操作日時との差が予め決められた時間以上ある場合は、エレベータが停止される。
【００３２】
以上で説明した実施の形態１によれば、入館用セキュリティシステム制御装置１８は、識別情報を、エレベータ管理情報とエレベータ管理情報の更新を管理するための更新管理情報とに対応付けて書換え可能に記憶する。そして、入館用セキュリティシステム制御装置１８は、更新管理情報に基づいて、出入り口管理用カード識別装置４に、カードのエレベータ管理情報を、記憶したエレベータ管理情報に書換えさせる。
【００３３】
具体的には、入館用セキュリティシステム制御装置１８は、出入り口管理用カード識別装置４に読み込まれたカードの識別情報に対応した更新管理情報が記憶した更新管理情報と一致しない場合、出入り口管理用カード識別装置４に、カードの更新管理情報とエレベータ管理情報とを、記憶した更新管理情報とエレベータ管理情報とに書換えさせる。
【００３４】
このため、高価な演算機能を入館用セキュリティシステム制御装置１８に集約することができ、セキュリティシステムのエネルギー消費量を削減するとともに、コスト上昇を抑えることができる。また、入館用セキュリティシステム及びエレベータ用セキュリティシステムのデータテーブルの管理を容易に行うことができる。さらに、カード所有者が意識することなく、エレベータの利用階情報を書き換えることができる。
【００３５】
即ち、入館用セキュリティシステム及びエレベータ用セキュリティシステムが、個々にデータテーブルを記憶している場合は、各カードに対応した情報を両システムに登録する必要があるし、カードを紛失した場合は、両システムで失効処理して、カードの利用を停止させなければならない。また、両システムでの処理を行うことは、一方の処理を忘れがちとなり、作業ミスを誘発する原因にもなる。しかし、本実施の形態のセキュリティシステムを利用すれば、入館用セキュリティシステム側の作業のみに集約することができるため、情報提供を適切に行って上記問題点を解消することができる。
【００３６】
また、エレベータ制御盤１７は、乗場カード識別装置１４がカードのエレベータ管理情報を読み込んだ日時とカードに記憶された最終操作日時との比較結果に基づいて、エレベータの動作を制御する。具体的には、カードのエレベータ管理情報が読み込まれた日時とカードに記憶された最終操作日時との差が予め決められた時間以上ある場合は、エレベータが停止される。このため、入館用セキュリティシステム制御装置１８に通行許可されていないカード所有者がエレベータを利用することを防止することができる。
【００３７】
さらに、本実施の形態におけるセキュリティシステムをゲストカードの運用に適用すれば、受付等でゲストカードの登録を行う際に、利用可能なゲート・扉等の出入り口２とエレベータの利用階等の両方の利用登録が必要となる場合、これらの登録を入館用セキュリティシステム制御装置１８で一元管理することができる。即ち、ゲストの目的に応じて、エレベータの利用階を必要最小限とするためのきめ細かい設定を、エレベータを意識することなく、入館用セキュリティシステム制御装置１８側だけで行うことができる。
【００３８】
また、ゲストカードの利用情報の更新は、出入り口２で自動的に行われるため、受付等でのゲスト登録の際、ゲストカード内の利用情報をなんら確認する必要がない。即ち、入館用セキュリティシステム制御装置１８に所定事項（ゲストの目的、行き先、面会人等）を登録するだけで一連の作業を完了することができるため、ゲスト登録作業を容易に行うことができる。さらに、本実施の形態のセキュリティシステムにより、受付等において、使用済みのゲストカード内の利用情報（ゲスト毎に設定される利用情報）等を個別管理する必要がない。このため、ゲストカードのメンテナンス（利用情報管理）も容易に行うことができる。
【００３９】
実施の形態２．
図５はこの発明の実施の形態２におけるエレベータ用セキュリティシステムに利用されるデータテーブルを示す図である。なお、実施の形態１と同一又は相当部分には同一符号を付して説明を省略する。
実施の形態１における記憶装置１９のデータテーブルには、更新管理情報として、更新回数番号が記憶されていた。一方、実施の形態２における記憶装置１９のデータテーブルには、更新管理情報として、更新フラグが記憶される。
【００４０】
即ち、実施の形態２においては、図５に示すように、記憶装置１９のデータテーブル項目は、カード番号、氏名、他設備管理番号（利用階情報）、更新フラグからなる。
【００４１】
ここで、データ管理者が、カード番号「２３４５」に対応した他設備管理番号を書き換えるとする。この場合、データ管理者は、入力装置等を用いて、カード番号「２３４５」に対応した他設備管理番号を「５、６」から「４、５」に書き換える。このとき、カード番号「２３４５」に対応した更新フラグは、自動で、「オフ」から「オン」に書き換えられる。この更新フラグは、カードの書換えが終了すると、「オフ」に戻り消去されるように設定される。
【００４２】
次に、図６を用いて、記憶装置１９の他設備管理番号が書き換えられた場合のカード内情報の書換えを説明する。
図６はこの発明の実施の形態２におけるエレベータ用セキュリティシステムに利用されるカード内情報の書換えを説明するための図である。
【００４３】
図６に示すように、更新前のカード内には、カード番号、他設備管理番号（利用階情報）、最終操作日時が記憶されている。このとき、上述したように、記憶装置１９内のデータテーブルでは、カード番号「２３４５」の更新フラグがオンとなっている。このため、出入り口管理用カード識別装置４に読み込まれたカードの他設備管理番号は、「５、６」から「４、５」に書き換えられる。また、これと同時に、最終操作日時が、「２００９／３／２９」から「２００９／４／１」に書き換えられる。
【００４４】
次に、図７を用いて、建築物１へ入館する際のエレベータ用セキュリティシステムの動作を説明する。
図７はこの発明の実施の形態１におけるエレベータ用セキュリティシステムの動作を説明するためのフローチャートである。
【００４５】
まず、ステップＳ１１では、出入り口管理用カード識別装置４でのカードの読み取りがあるか否かが判断される。カードの読み取りがない場合は、ステップＳ１１が繰り返される。一方、カードの読み取りがあった場合は、ステップＳ１２に進む。ステップＳ１２では、読み取ったカード番号が、記憶装置１９のデータテーブルに存在するか否かが判断される。読み取ったカード番号がデータテーブルに存在する場合は、ステップＳ１３に進む。
【００４６】
ステップＳ１３では、データテーブルの更新フラグがオフか否かが判断される。データテーブルの更新フラグがオンの場合は、ステップＳ１４に進む。ステップＳ１４では、カード内の他設備管理番号（利用階情報）をデータテーブルの値を使用して書き換えるとともに、更新フラグをオフにし、ステップＳ１５に進む。ステップＳ１５では、カードに最終操作日時として現在日時を書き込み、ステップＳ１６に進む。ステップＳ１６では、ＩＤ判定ＯＫと判断し、フラッパーゲート３の通行を許可し、ステップＳ１１に戻る。
【００４７】
一方、ステップＳ１３で、データテーブルの更新フラグがオフの場合は、ステップＳ１４を経由せずに、ステップＳ１５、Ｓ１６に進み、上記動作を行う。なお、ステップＳ１２で、読み取ったカード番号がデータテーブルに存在しない場合は、ステップＳ１７に進み、ＩＤ判定ＮＧと判断し、ステップＳ１に戻る。
【００４８】
以上で説明した実施の形態２によれば、記憶装置１９のデータテーブルの更新フラグの有無で、カード内情報の書換え判定を行う。即ち、カード内情報として更新回数番号を必要としない。このため、実施の形態１に比べ、カード内の情報量を削減することができ、カード内情報の読み込み、書き込みの高速化を図ることができる。
【符号の説明】
【００４９】
１  建築物、  ２  出入り口、  ３  フラッパーゲート、  
４  出入り口管理用カード識別装置、  ５  昇降路、  ６  かご、
７  つり合おもり、  ８  機械室、  ９  巻上機、  １０  そらせ車、
１１  駆動機、  １２  主索、  １３  乗場操作盤、  １４  乗場カード識別装置、
１５  かご呼び操作盤、  １６  かご内カード識別装置、  １７  エレベータ制御盤、
１８  入館用セキュリティシステム制御装置、  １９  記憶装置
【図１】
2010285235.tif 000003
【図２】
2010285235.tif 000004
【図３】
2010285235.tif 000005
【図４】
2010285235.tif 000006
【図５】
2010285235.tif 000007
【図６】
2010285235.tif 000008
【図７】
2010285235.tif 000009